(57)【要約】【課題】本発明はレーザーを使い管理空間に不必要な対象物の行動や存在を制限することより、管理空間の領域を従来より広く管理可能にすることにより、地域社会の秩序を保全、向上することを目的とする。【解決手段】管理空間の情報、対象物とそれ以外の固有情報を管理する情報処理機能を持ち、管理空間の情報の外乱により対象物の進入を判断し、対象物の視覚、痛覚、感知部分等の必要部分にレーザーを照射して、メッセージまたはダメージを与え、管理空間から忌避させる。レーザーが対象物以外に当たる場合にそのダメージを避けるため、レーザー照射元を複数にするなど、対象物で収束、対象物前後で発散等する方法を持つ。対象物の特性及び本発明の効果等を学習する方法を持つ。【特許請求の範囲】
【請求項１】
あらかじめ登録された固有情報（色、形、行動パターン、発生音、発生電磁波、香りなど）を持ち、管理空間（防護対象物・地域）に近づく対象物（生物・機器・物質）を特定し、対象物の視覚、痛覚、感知部分等の特定部分にレーザーを照射することにより、対象生物等を威嚇・忌避・距離保持等させ、あるいは対象物に必要な命令を伝え、または対象物の一部または全部を破壊する方法。またあらかじめ登録されたエリア（時間帯）や、そこで存在または活動が必要とされる固有情報を持つ物に制限値を越えるレーザーを照射しない方法。
【請求項２】
請求項１のレーザーが対象物に到達したときに最大のエネルギーが発生し、それ以降の距離では急速に発散減衰し、それ以前では分散などして低エネルギーを保てるよう、（イ）複数のレーザー発生源（あるいは分散された時間・違う位相）から照射したものが対象物の特定部分に到達したときに収束する方法を採る、（ロ）レーザーに焦点距離を持たせる方法を採る、（ハ）対象物が敏感に反応する固有の波長や照射間隔を採る、あるいは（二）対象物が固有に認識する画像など形成する、などの方法を採ることにより、対象物以外に対しての悪影響をなくす方法。
【請求項３】
前請求各項の結果対象物が、管理空間に近づき、あるいはレーザー照射があった場合またはレーザー照射保留となった場合に、他の類似目的システム等と連携し、前各項を補完補強する方法。また、対象物の特性及び本発明の効果等を学習する方法。本請求各項のレーザーを音波・液体・個体あるいはそれより作られた物に置き換え、あるいは併用する方法。
【発明の詳細な説明】
【０００１】
【発明の属する技術分野】本発明はレーザーを使い管理空間に不必要な対象物の行動や存在を制限することに関する。
【０００２】
【従来の技術】対象物をカラスとし、管理空間をゴミ収集場や農作物、洗濯物干場などとしたときに、被害が出ている場合を例に述べると、従来、音、電磁波、光を発するものあるいはカラスの死骸やそれを模した物、特定の形状や色の物、特定の動きをする物を管理空間に設置し、忌避させようとする方法がほとんどであった。
【０００３】しかし、カラスが徐々に学習し、効き目は一時的な方法がほとんどであった。
【０００４】場合によっては、特定の動物による威嚇、人が狩猟する方法はあったが、地域や時期、実行条件などに制約が多かった。
【０００５】また、管理空間にネットや塀、囲いなどを設置し物理的に進入できないようにする方法もあった。
【０００６】しかし、設置・運用費用が嵩んだり、景観やその管理空間の利用条件を狭めたり、利用者によって使用方法・運用が徹底されないなどの問題があった。
【０００７】何より、カラスの絶対数を減らすことには効果がなかった。
【０００８】
【発明が解決しようとする課題】本発明はレーザーを使い管理空間に悪影響を及ぼす対象物の行動や存在を制限することより、管理空間の領域を従来より広く管理可能にすることにより、地域社会の秩序を保全、向上することを目的とする。
【０００９】
【課題を解決するための手段】上記の目的を達成するため本発明の方法においては、管理空間の情報、対象物とそれ以外の固有情報を管理する情報処理機能を持つ。
【００１０】対象物の接近、進入と判断されると、対象物の視覚、痛覚、感知部分等の必要部分にレーザーを照射する部分を持ち、その照準は追尾する機能を持つ。
【００１１】場合によっては対象物に必要な命令を伝える方法を持つ。
【００１２】対象物以外へのレーザーによる被害を防ぐため、対象物以外の固有情報を持つ物にレーザーを照射しない方法あるいは照射強度、時間を調整する方法を持つ。また、レーザーが対象物の特定部分に到達したときに収束する方法を持つ場合もある。
【００１３】管理空間の変化が対象物か否か判断できず、あるいはそれらが許容基準以下の場合、照射保留とする方法を持つ。
【００１４】前項の場合、あるいはレーザー照射により充分な効果が得られない場合、他の類似目的システム等と連携し、前各項を補完補強する方法を持つ。
【００１５】対象物の特性及び本発明の効果等を学習する方法を持つ。
【００１６】
【発明の実施の形態】管理空間情報（管理空間の形状、構成素材、時間的変化等の情報）、対象物とそれ以外の固有情報を持つ情報処理装置を内部または外部に持ち、それは適時更新できる。
【００１７】管理空間情報に外乱が入るとそれが対象物か否かを判断する。それは常時更新される。
【００１８】対象物と判断されれば、対象物の視覚、痛覚、感知部分等の必要部分にレーザーを照射し対象物に対するメッセージまたはダメージを与え、その照準は対象物あるいはその照射に効果のある特定部位を追尾し、その照射は対象物が管理空間の状態に対して許容状態になるまで続ける。
【００１９】場合によってはレーザーに信号を載せ、対象物に必要な命令を伝える。
【００２０】レーザー照射元を複数にし、照射元と対象物との空間あるいは対象物以遠の空間に対象物以外が進入・存在した場合でも、それに対するレーザーのダメージを許容以下にする。
【００２１】場合によっては個々の照射元からのレーザーが収束する焦点距離を持たせる。
【００２２】場合によっては対象物の網膜あるいはそれに類する機能を持つものにレーザーが到達したときに、対象物の行動決定にとって意味のある映像等になる方法を使う。
【００２３】管理空間の変化が対象物か否か判断できず、あるいはそれらが許容基準以下の場合、照射保留とする。
【００２４】前項の場合、あるいはレーザー照射により充分な効果が得られない場合、他の類似目的システム等と連携し、前各項を補完補強する場合もある。
【００２５】対象物の特性及び本発明の効果等のデータは随時更新し、本発明を使う他の管理情報や、対象物の最新特性データなどと連動し運用方法等を学習する。
【００２６】
【発明の効果】対象物の学習効果による慣れには無縁で、逆に学習効果により、より忌避効果が高まる。
【００２７】本発明を使うことにより、管理空間に設置されていた従来の忌避用機器等によって害されていた、景観、空間容量、空間利便性等が改善される。
【００２８】従来の機器による経済的負担、管理労力、使用資源の浪費が軽減される。
【００２９】本発明の普及により管理空間の総合計容量が広がり、対象物を対処的局所的に減らすのでなく、対象物の存在許容空間、存在必要行動を狭めることによる、絶対的個体数のコントロールをする事も可能である。
【００３０】従来の機器でもその長所を本発明と組み合わせることにより、より効果が上がるようにもできる。
【００３１】前５項により従来より広い範囲で緻密に秩序が保たれ、管理空間を含む地域や関与する人々の省資源、経済性、安全性等の向上に寄与する。